(57)【要約】【課題】本体を浴室の天井へ設置する場合の作業時に、仮固定が働いているか目視で容易に確認することができることを目的とする。【解決手段】排気アダプター１０側のフランジ部の突起と本体側のフランジ部の切欠きを係合させることという構成にしたことにより、排気アダプター１０と本体との係合する箇所を浴室側に露出させ、施工者が容易に両者を係合させることとなるので、本体を浴室の天井へ設置する場合の作業時に、仮固定が働いているか目視で容易に確認することができる浴室空気調和機を提供する。【選択図】図１
2013072596.tif 000002
【特許請求の範囲】
【請求項１】
本体の下部のフロントパネルに吸込み口と吹出し口を設け、浴室内の空気を吸込むためのファンとモーターとを前記吸込み口からの下流側に設け、排気アダプターまで連通する排気風路と、前記浴室内に循環させる循環風路を設け、前記排気アダプターの天井と接するフランジ部に下方へ突起と前記本体の前記フランジ部に切欠きを設け、前記排気アダプター側の前記フランジ部の突起と本体側の前記フランジ部の切欠きを係合させることを特徴とした浴室空気調和機。
【請求項２】
排気アダプター側のフランジ部の突起の形状は、本体側の前記フランジ部の切欠きよりも幅が広くかつ両端が略Ｖ字型形状とし、前記突起の形状は弾性変形しながら前記切欠き部を通過することを特徴とした請求項１に記載の浴室空気調和機。
【請求項３】
排気アダプター側のフランジ部の突起の形状は、前記排気アダプターと別部品として構成していることを特徴とした請求項１または２に記載の浴室空気調和機。
【発明の詳細な説明】
【技術分野】
【０００１】
本発明は、浴室の天井に形成された天井開口に下面側を臨ませて天井に埋め込み設置する天井埋め込み型の浴室空気調和機に関するものである。
【背景技術】
【０００２】
従来より、天井埋め込み型の浴室換気乾燥機の設置作業は、本体を片手で押し上げながらもう一方の手でねじ止め固定しており、施工が容易でなく手間がかかっていたので、設置作業時に本体を天井に挿入すると仮固定され、その後ねじ止め固定する空調機が提供されている（例えば、特許文献１参照）。
【０００３】
以下、その空調機について、図１６を参照しながら説明する。
【０００４】
図に示すように、空調機本体１０１は天井開口１０２に下方から挿入して天井裏に通過可能なサイズであり、その対向する２つの側面に仮止め部材１０３を備えている。仮止め部材１０３は、空調機本体１０１が天井開口１０２を通過している間は弾性変形して空調機本体１０１の通過を許容し、空調機本体１０１が天井裏に埋め込まれた位置にくると自然形状に復帰し、その下端部側が天井１０４の裏面に当接して脱落を防止する仮固定をなす弾性部材で構成され、この仮固定の後、空調機本体１０１を天井１０４に固定部材１０５によって正規に固定する。
【先行技術文献】
【特許文献】
【０００５】
【特許文献１】特開２００２−１３０７９７号公報（段落０００９〜００１１、図７  ，８）
【発明の概要】
【発明が解決しようとする課題】
【０００６】
このような従来の浴室空気調和機においては、本体を浴室の天井へ設置する作業を容易にするために、従来から本体を天井へ仮固定する機能があったが、浴室の天井と本体との係止、係合を含む仮固定部が浴室の天井裏に位置している場合、作業時に仮固定が働いているか目視では容易に確認できず、点検口から確認するといった余分な作業が必要である、という課題を有していた。
【０００７】
そこで本発明は、上記従来の課題を解決するものであり、本体を浴室の天井へ設置する場合の作業時に、仮固定が働いているか目視で容易に確認することができる浴室空気調和機を提供することを目的とする。
【課題を解決するための手段】
【０００８】
そして、この目的を達成するために、本発明は、本体の下部のフロントパネルに吸込み口と吹出し口を設け、浴室内の空気を吸込むためのファンとモーターとを前記吸込み口からの下流側に設け、排気アダプターまで連通する排気風路と、前記浴室内に循環させる循環風路を設け、前記排気アダプターの天井と接するフランジ部に下方へ突起と前記本体の前記フランジ部に切欠きを設け、前記排気アダプター側の前記フランジ部の突起と本体側の前記フランジ部の切欠きを係合させることとしたものであり、これにより所期の目的を達成するものである。
【発明の効果】
【０００９】
本発明によれば、本体の下部のフロントパネルに吸込み口と吹出し口を設け、浴室内の空気を吸込むためのファンとモーターとを前記吸込み口からの下流側に設け、排気アダプターまで連通する排気風路と、前記浴室内に循環させる循環風路を設け、前記排気アダプターの天井と接するフランジ部に下方へ突起と前記本体の前記フランジ部に切欠きを設け、前記排気アダプター側の前記フランジ部の突起と本体側の前記フランジ部の切欠きを係合させることという構成にしたことにより、排気アダプターと本体との係合する箇所を浴室側に露出させ、施工者が容易に両者を係合させることとなるので、本体を浴室の天井へ設置する場合の作業時に、仮固定が働いているか目視で容易に確認することができる、という効果を得ることができる。
【図面の簡単な説明】
【００１０】
【図１】本発明の実施の形態１の浴室空気調和機の乾燥運転時のダンパーの状態を表す図
【図２】同浴室空気調和機の換気運転時のダンパーの状態を表す図
【図３】同浴室空気調和機の暖房運転時のダンパーの状態を表す図
【図４】同浴室空気調和機の本体を天井開口へ取り付ける状態を表す図
【図５】同浴室空気調和機のアダプター側の略Ｌ字型の突起を本体側フランジ部の切り欠きへ通過させる状態を表す図
【図６】同浴室空気調和機のアダプター側の略Ｌ字型の突起と本体側フランジ部の切り欠きが係止している状態を表す図
【図７】同浴室空気調和機の本体天面の突起とアダプター天面の係止部とが係止している状態を表す図
【図８】本発明の実施の形態２の浴室空気調和機のアダプターの天井面へ接するフランジ部の突起形状を表す図
【図９】同浴室空気調和機のアダプターの天井面へ接するフランジ部の突起形状を表す図
【図１０】同浴室空気調和機の本体を天井開口へ取り付ける状態を表す図
【図１１】同浴室空気調和機のアダプター側の略Ｖ字型の突起が本体フランジ部の切り欠きへ挿入される状態を表す図
【図１２】同浴室空気調和機のアダプター側の略Ｖ字型の突起が本体フランジ部の切り欠きの形状に合わせて弾性変形する状態を表す図
【図１３】同浴室空気調和機のアダプター側の略Ｖ字型の突起が本体フランジ部の切り欠きを通過し元の形状に復帰した状態を表す図
【図１４】本発明の実施の形態３の浴室空気調和機の本体を天井開口へ取り付ける状態を表す図
【図１５】同浴室空気調和機の本体を天井開口へ取り付ける状態を表す図
【図１６】従来の浴室空気調和機を示す側構成図
【発明を実施するための形態】
【００１１】
本発明の請求項１記載の浴室空気調和機は、本体の下部のフロントパネルに吸込み口と吹出し口を設け、浴室内の空気を吸込むためのファンとモーターとを前記吸込み口からの下流側に設け、排気アダプターまで連通する排気風路と、前記浴室内に循環させる循環風路を設け、前記排気アダプターの天井と接するフランジ部に下方へ突起と前記本体の前記フランジ部に切欠きを設け、前記排気アダプター側の前記フランジ部の突起と本体側の前記フランジ部の切欠きを係合させることという構成を有する。これにより、排気アダプターと本体との係合する箇所を浴室側に露出させ、施工者が容易に両者を係合させることとなるので、本体を浴室の天井へ設置する場合の作業時に、仮固定が働いているか目視で容易に確認することができる、という効果を奏する。
【００１２】
また、排気アダプター側のフランジ部の突起の形状は、本体側の前記フランジ部の切欠きよりも幅が広くかつ両端が略Ｖ字型形状とし、前記突起の形状は弾性変形しながら前記切欠き部を通過するという構成にしてもよい。これにより、本体を天井開口へ押し上げ、排気アダプター側のフランジ部の突起が本体フランジ部の切り欠きの通過時は収縮し、通過後に元の形状へ復元し、本体と排気アダプターとを係合させ仮固定することとなるので、排気アダプターを天井開口へ取り付け後、本体を天井開口へ押し上げるだけで本体の仮固定が完了し、施工作業を容易にすることができる、という効果を奏する。
【００１３】
また、排気アダプター側のフランジ部の突起の形状は、前記排気アダプターと別部品として構成しているという構成にしてもよい。これにより、別部品として取り外すことで、容易に仮固定を解除することとなるので、本体を容易に天井開口から取り外すことができ、部品交換やメンテナンス作業を本体を床面に下ろしてから行うことができとともに、天井裏での作業による部品の誤取り付けを防止することができる、という効果を奏する。
【００１４】
以下、本発明の実施の形態について、図面を参照しながら説明する。
【００１５】
（実施の形態１）
本体下部のルーバー１に吸込み口２と吹出し口３を設け、浴室内の空気を吸込み口２よりファン４とファン４を駆動させるモーター５を用いて矢印ａのように吸込み、ダンパー６により浴室から吸込んだ空気を排気しながら循環も同時におこなう場合、いわゆる乾燥、涼風をおこなう場合は、ダンパー６を図１のようにダンパーシャフト７を中心としてダンパーモーター（図示せず）を用いて回動させ、浴室から吸込んだ空気を排気風路８と循環風路９へ同時に浴室から吸込んだ空気を搬送し、一定量を排気アダプター１０に取りつけたダクト（図示せず）を介して屋外に排出し残りを循環風路９へ搬送し、熱源ヒーター１１により加熱し温風として吹出し口３より浴室  内に再び吹出させる。乾燥をおこなう場合は熱源ヒーター１１は通電、涼風をおこなう場合は熱源ヒーター１１は停止する。
【００１６】
また、浴室から吸込んだ空気を排気する場合、いわゆる換気をおこなう場合はダンパー６を図２のようにダンパーシャフト７を中心にしてダンパーモーター（図示せず）を用いて回動させ、浴室から吸込んだ空気を矢印ｂのように排気風路８へ搬送し排気アダプター１０に取りつけたダクト（図示せず）を介して屋外に排出する。また浴室から吸込んだ空気を浴室内に循環させる場合、いわゆる浴室の暖房をおこなう場合は、ダンパー６を図３のようにダンパーシャフト７を中心にしてダンパーモーター（図示せず）を用いて回動させ、浴室から吸込んだ空気を矢印ｃのように循環風路９へ搬送し、熱源ヒーター１１により加熱し温風として、吹出し口３より浴室内に再び吹出させ、浴室内の寒さを緩和することができる。
【００１７】
浴室空気調和機の天井への固定は、排気アダプター１０を天井開口１２へねじ等で取り付けてから行う。
【００１８】
図４のように、排気アダプター１０の天井面へ接するアダプターフランジ部１３の一部にアダプターフランジ部１３から浴室側である下方へ、略Ｌ字型の突起１４と本体フランジ部１５の一部に切り欠き穴１６、ここでは角形状としたものを設けている。排気アダプター１０を天井開口へ取り付けた後に本体１９を天井開口へ押し上げ、図５のようにアダプター側の略Ｌ字型の突起１４を本体側フランジの切り欠き穴１６へ通してから本体１９を矢印のように排気アダプター１０の排気と反対側である左方向にスライドさせながら押し上げると、図６のようにアダプターの略Ｌ字型の突起１４と本体フランジ部の切り欠き１６とは係止する。図７のように、本体１９を上方に完全に押し上げるとアダプター天面係止部１７と本体天面突起１８とをアダプター天面係止部１７に本体天面突起１８を押し込んで係止させる。作業者はこの状態で仮に本体１９から手を離した場合、アダプター側の略Ｌ字型の突起１４と本体側フランジの切り欠き穴１６が係止するため、本体１９が落下することがなく、容易に仮固定が可能かつ本体側、排気アダプター１０側のそれぞれの係止部が確認することができる。
【００１９】
（実施の形態２）
図８は、排気アダプター１０の天井面へ接するアダプターフランジ部１３の本体と係止する突起形状を表しており、両端が略Ｖ字型形状の突起２０とし、略Ｖ字両端の寸法は本体フランジ部１５の切欠き１６の寸法より２ｍｍ程度大きい。図１０のように、排気アダプター１０を天井開口１２へ取り付けた後、本体１９を天井へ向かって押し上げていくと、アダプター側の略Ｖ字型形状の突起２０は本体側フランジ部の切り欠き１６を通過する時は、図１１、図１２のように突起２０は弾性変形し内側に収縮する。突起２０がフランジ部の切欠き１６を完全に通過すると、図１３のように、突起２０は弾性変形にて元の形状に復帰する。
【００２０】
これによって、作業者はアダプター側の略Ｖ字型形状の突起２０に本体側フランジ部の切欠き１６の位置合わせて本体１９を押し上げるだけで、仮固定が可能となり施工が容易となる。
【００２１】
また、排気アダプター１０側と本体１９側との係止状態が作業者にも浴室側から容易に確認できる。メンテナンスの際は、本体１９が仮固定状態の時に略Ｖ字型形状の突起２０を親指と人差し指とでつまんで内側へ収縮させ、本体側フランジ部の切欠き１６を通過させることで本体１９を天井から下方である浴室側へ外すことが可能である。
【００２２】
また、略Ｖ字型形状の突起２０は、図９のような曲げ加工がし易いＬ字型のような形状でも同様の効果をなす。
【００２３】
（実施の形態３）
図１４および図１５は、排気アダプター１０の天井面へ接するアダプターフランジ部１３の本体１９と係止する略Ｖ字型形状に表しており、その略Ｖ字型形状の突起２０は排気アダプター１０と別部品の金具２１としている。金具２１の天井面に接するフランジ部の形状は、排気アダプター１０のフランジ部と同一の形状をしており、本体側フランジ部の切欠き１６より小さくすることで、本体フランジ部との干渉を防止し、金具２１だけを脱着することが可能である。金具２１は排気アダプター１０を天井へ固定する金具固定用のねじ２２で共締めとすると作業が容易である。
【００２４】
また、メンテナンスの際は、本体１９が仮固定状態の時に金具固定用のねじ２２を外すことで、本体１９との仮固定作用のある金具２１が外れるため、本体１９も天井から外すことが容易にできる。
【産業上の利用可能性】
【００２５】
本発明にかかる浴室空気調和機は、本体の天井への設置作業時に、本体を容易に仮固定するとともに、メンテナンス時に本体を容易に降ろすことを可能とするものであるので、天井に設置される機器の施工方法として有用である。
【符号の説明】
【００２６】
１    ルーバー
２    吸込み口
３    吹出し口
４    ファン
５    モーター
６    ダンパー
７    ダンパーシャフト
８    排気風路
９    循環風路
１０  排気アダプター
１１  熱源ヒーター
１２  天井開口
１３  アダプターフランジ部
１４  略Ｌ字型の突起
１５  本体フランジ部
１６  切り欠き穴
１７  アダプター天面係止部
１８  本体天面突起
１９  本体
２０  略Ｖ字型形状の突起
２１  金具
２２  金具固定用のねじ
【図１】
2013072596.tif 000003
【図２】
2013072596.tif 000004
【図３】
2013072596.tif 000005
【図４】
2013072596.tif 000006
【図５】
2013072596.tif 000007
【図６】
2013072596.tif 000008
【図７】
2013072596.tif 000009
【図８】
2013072596.tif 000010
【図９】
2013072596.tif 000011
【図１０】
2013072596.tif 000012
【図１１】
2013072596.tif 000013
【図１２】
2013072596.tif 000014
【図１３】
2013072596.tif 000015
【図１４】
2013072596.tif 000016
【図１５】
2013072596.tif 000017
【図１６】
2013072596.tif 000018